(57)【要約】【課題】その課題は、オーダ情報の入力順序と未現像写真フィルムの現像処理順序が一致して、オーダ情報に対応する未現像写真フィルムの現像処理を行えるプリント処理システムを提供することにある。【解決手段】現像処理を行うフィルムプロセッサＦＰと、現像済写真フィルムのコマの情報を画像データとして取得するフィルムスキャナＦＳと、画像データに基づいて写真プリントを作成するプリント作成装置ＰＡを備えるプリント処理システム１であって、オーダ情報の入力を受け付ける入力手段１００と、オーダ情報に対応する未現像写真フィルムをフィルムプロセッサで処理するように制御する制御手段２００と、現像処理の処理開始／処理中／処理終了の少なくとも１つを検出する検出手段１１ｃと、検出手段１１ｃによる検出が行われるまでは次の未現像写真フィルムのオーダ情報の入力を禁止する入力制御手段２０１を有する。【選択図】図１
2007183359.tif 000002
【特許請求の範囲】
【請求項１】
未現像写真フィルムの現像処理を行うフィルムプロセッサと、現像済写真フィルムのコマの情報を画像データとして取得するフィルムスキャナと、当該画像データに基づいて写真プリントを作成するプリント作成装置を備えるプリント処理システムであって、
前記画像データの注文に関する情報であるオーダ情報の入力を受け付ける入力手段と、
前記オーダ情報に対応する未現像写真フィルムを前記フィルムプロセッサで処理するように制御する制御手段と、
前記オーダ情報に対応する未現像写真フィルムの現像処理の処理開始／処理中／処理終了の少なくとも１つを検出する検出手段と、
前記検出手段による検出が行われるまでは次の未現像写真フィルムのオーダ情報の入力を禁止する入力制御手段と
を有するプリント処理システム。
【請求項２】
オーダ情報の入力が確定したか否かを判断するオーダ情報入力確定手段をさらに有し、
前記制御手段は、前記フィルムプロセッサにセットされた未現像写真フィルムの現像処理を開始するように制御する請求項１に記載のプリント処理システム。
【請求項３】
前記オーダ情報入力確定手段は、前記検出手段によって未現像写真フィルムが検出された場合に、オーダ情報の入力を許可する請求項２に記載のプリント処理システム。
【発明の詳細な説明】
【技術分野】
【０００１】
本発明は、未現像写真フィルムの現像処理を行うフィルムプロセッサと、現像済写真フィルムのコマの情報を画像データとして取得するフィルムスキャナと、当該画像データに基づいて写真プリントを作成するプリント作成装置を備えるプリント処理システムに関する。
【背景技術】
【０００２】
未現像写真フィルムの現像処理を行うフィルムプロセッサと、現像済写真フィルムのコマの情報を画像データとして取得するフィルムスキャナとを一体の装置として構成したものが公知である（特許文献１参照）。そして、このフィルムスキャナで取得された画像データを通信手段で受信し、当該受信した画像データに基づいて写真プリントを作成するプリント作成装置をさらに具備したプリント処理システムがある。
【０００３】
【特許文献１】特開平１１−２３４４７６号公報
【発明の開示】
【発明が解決しようとする課題】
【０００４】
上記のプリント処理システムにおいて、未現像写真フィルムをフィルムプロセッサにセットし現像処理を行う際に、注文に関する情報であるオーダ情報（例えば、プリント枚数、プリントサイズ等）を予めシステムに設定しておいてから現像処理を行う。しかし、設定したオーダ情報に対応していない未現像写真フィルムをオペレータのミスで誤ってセットしてしまうことがあり問題である。特に、複数のオーダを連続して処理する場合に、オーダ情報の入力順とフィルムをセットする順序が一致しない作業ミスを犯しやすくなる。
【０００５】
本発明は上記実情に鑑みてなされたものであり、その課題は、オーダ情報の入力順序と未現像写真フィルムの現像処理順序が一致して、オーダ情報に対応する未現像写真フィルムの現像処理を行えるプリント処理システムを提供することにある。
【課題を解決するための手段】
【０００６】
上記課題を解決するため本発明に係るプリント処理システムは、
未現像写真フィルムの現像処理を行うフィルムプロセッサと、現像済写真フィルムのコマの情報を画像データとして取得するフィルムスキャナと、当該画像データに基づいて写真プリントを作成するプリント作成装置を備えるプリント処理システムであって、
画像データの注文に関する情報であるオーダ情報の入力を受け付ける入力手段と、
オーダ情報に対応する未現像写真フィルムをフィルムプロセッサで処理するように制御する制御手段と、
オーダ情報に対応する未現像写真フィルムの現像処理の処理開始／処理中／処理終了の少なくとも１つを検出する検出手段と、
検出手段による検出が行われるまでは次の未現像写真フィルムのオーダ情報の入力を禁止する入力制御手段と、
を有することを特徴とする。
【０００７】
かかるプリント処理システムの作用・効果は次の通りである。すなわち、本システムは、未現像写真フィルムの現像処理を行うフィルムプロセッサと、現像済写真フィルムのコマの情報を画像データとして取得するフィルムスキャナと、当該画像データに基づいて写真プリントを作成するプリント作成装置を備える。そして、検出手段による未現像写真フィルムの現像処理の処理開始／処理中／処理終了の少なくとも１つが検出されるまでは、次の未現像写真フィルムのオーダ情報の入力が、入力制御手段によって禁止される。検出手段により未現像写真フィルムの現像処理の処理開始／処理中／処理終了の少なくとも１つが検出された場合に、入力手段によってオーダ情報が入力され、当該オーダ情報に対応する未現像写真フィルムをフィルムプロセッサにセットする。これにより、セットされた未現像写真フィルムが現像処理される。そして、フィルムスキャナが、現像済フィルムから画像データを取得し、取得された画像データがプリント作成装置に送信される。そして、プリント作成装置が受信した画像データ及びオーダ情報に基づいて写真プリントを作成する。
【０００８】
かかる構成及び作用によって、オーダ情報に対応する未現像写真フィルムの現像処理を一対一に対応づけられるので確実にオーダ情報に対応する未現像写真フィルムの現像処理を行える。
【０００９】
また、本発明において、オーダ情報の入力は、一の未現像写真フィルム分のみであることが好ましい。かかる構成によれば、確実にオーダ情報に対応する未現像写真フィルムの現像処理を行え、作業者のミスを防止できる。
【００１０】
また、本発明において、オーダ情報の入力が確定したか否かを判断するオーダ情報入力確定手段をさらに有し、制御手段は、フィルムプロセッサにセットされた未現像写真フィルムの現像処理を開始するように制御することは好ましい。かかる構成によれば、オーダ情報の入力が確定された後に、そのオーダ情報に対応する未現像写真フィルムをセットして自動的に現像処理を開始できる。また、オーダ情報の入力が確定していない場合に、フィルムプロセッサにセットされた未現像写真フィルムの現像処理が開始されることが無いので、誤ったオーダ情報（例えば、メモリに保存されているオーダ情報等）で現像処理されないので好ましい。
【００１１】
また、本発明において、オーダ情報入力確定手段は、検出手段によって未現像写真フィルムが検出された場合に、オーダ情報の入力を許可するように構成することは好ましい。かかる構成によれば、未現像写真フィルムがセットされた後に、そのフィルムに対応するオーダ情報の入力が可能となるので、フィルムに対応するオーダ情報をより確実に入力することができる。
【００１２】
本発明において、「オーダ」は、写真プリントを作成する場合の注文単位である。「１オーダ」は、フィルム１本分についてのプリント注文に係る画像データ群を指すものである。
【００１３】
また、「オーダ情報」は、フィルム１本分の注文に関するデータであり、例えば、プリント枚数、プリントサイズ、インデックスプリントの有無、メディアへの記録の有無等である。オーダ情報においては、プリント枚数、プリントサイズを個々のコマ画像について設定することはできない。なお、個々のコマ画像についての詳細な設定は、画像データとして取得された後にプリント作成装置側で実行できる。
【００１４】
また、本発明において「プレジャッジ」は、画像データに基づいて写真プリントを作成する前に、適切な画質の写真プリントが作成されるか否かを判定する作業であり、より具体的には、プレジャッジ画面上で、コマ画像ごとに、色、濃度の補正値、シャープネス補正、赤目補正等の設定、プリント枚数の設定、プリントサイズの設定等を適宜設定するものである。以下、同様である。
【発明を実施するための最良の形態】
【００１５】
本発明に係るプリント処理システムの好適な実施形態を、図面を用いて説明する。図１は、フィルムプロセッサＦＰと、フィルムスキャナＦＳで構成されるフィルム処理装置ＦＡと、プリント作成装置ＰＡを有するプリント処理システム１全体の外観構成を示す図である。なお、プリント処理システム１は、その他の装置（例えば、注文者用受付端末、記録媒体への書き込み・読み取り装置、インターネット受付可能なＰＣ端末等）を有する構成でもよい。
【００１６】
＜システムの全体構成＞
図１において、フィルム処理装置ＦＡは、未現像写真フィルムの現像処理を行うフィルムプロセッサＦＰと、現像済写真フィルムのコマの情報を光電変換により画像データとして取得するフィルムスキャナＦＳとを上下位置に配置する。そして、フィルム処理装置ＦＡは、フィルムプロセッサＦＰの排出部から排出された現像済写真フィルムをフィルムスキャナＦＳの供給部に送る供給搬送系に対して、現像済写真フィルムの供給部に送り込む供給状態と、外部に送り出す排出状態とに切り換え可能な供給搬送機構Ａとを備える。
【００１７】
このフィルム処理装置ＦＡは、通信回線を介してプリント作成装置ＰＡに接続される。プリント作成装置ＰＡは、通信機能、オーダ管理・制御機能、画像処理機能、プリント作成機能を有し、コンピュータ、ディスプレイ等の表示手段、キーボード、マウス等のインターフェースとを備えている。この構成によりフィルム処理装置ＦＡで取得した画像データは、通信回線を介してプリント作成装置ＰＡに伝送され、このプリント作成装置ＰＡにおいて印画紙等のプリント媒体にプリントされる。オーダ管理・制御機能は、画像データをオーダ単位に管理し、プリント作成の順序を設定できるように構成される。
【００１８】
なお、プリント作成装置ＰＡは銀塩式の印画紙を用いるものに制限されず、インクジェット型、昇華型のものも適用できる。
【００１９】
本発明において、フィルムプロセッサＦＰに挿入する以前の写真フィルムを未現像写真フィルムと称し、フィルムプロセッサＦＰで現像処理した後の写真フィルムを現像済写真フィルムと称する。図１において、Ｆは現像済写真フィルムを示すが、以下において、未現像写真フィルムと現像済写真フィルムを区別せずに単にフィルムＦとして示す場合がある。
【００２０】
＜フィルムプロセッサ＞
フィルムプロセッサＦＰは、図１、２に示すように、プロセッサ本体の前部にフィルム挿入部１１を配置し、プロセッサ本体内部に現像処理部１２、乾燥処理部１３とを備え、プロセッサ本体の後部に排出部１４を配置し、フィルム挿入部１１から排出部１４にわたって搬送機構１５を形成している。プロセッサ本体の前部位置には各種情報を表示する液晶ディスプレイ１６Ａと複数の操作ボタン１６Ｂを有したコントロールパネル１６を備え、プロセッサ本体内部にフィルムプロセッサＦＰ全体の制御を実現する制御ユニット１７を備える。プロセッサ本体の上面には、排出部１４から送りだされる現像済写真フィルムを受け止めるフィルムストッカー１８が形成されている。本実施形態では、ＡＰＳフィルムの現像処理について説明するが、特にこれに限定されることではなく、例えば１３５フィルム等の場合でも同様に適用できる。
【００２１】
フィルム挿入部１１には、開閉自在な蓋体１１Ａを備え、フィルムカートリッジＣａに収容されたロール状の未現像写真フィルムをセットし、搬送機構１５に受け渡す作動系（フィルム駆動機構１１ｅ）と、フィルムの後端を切断する切断ユニット１１Ｂを備える。
【００２２】
また、フィルムの長さの情報を得るために、搬送機構１５によって搬送されるフィルム先端及び後端の通過を検出するローディング検出手段１１ｃを備える。また、フィルムカートリッジＣａがセットされたことを検出するカートリッジ検出手段１１ｄを備える。ローディング検出手段１１ｃ又はカートリッジ検出手段１１ｄは、例えば、一対の光学式センサ（受光式、投光式）、反射型センサ、レーザセンサ、その他の近接センサ、イメージセンサ等で構成できるが、一対の光学式センサ（受光式、投光式）が好ましい。ローディング検出手段１１ｃは、オーダ情報に対応する未現像写真フィルムの現像処理の処理開始／処理中／処理終了を検出できる。処理開始は、フィルム先端の検出で行え、処理終了は、フィルム先端の検出からフィルム後端の検出までの時間、搬送速度、プロセッサ内の搬送距離から検出できる。処理中は、処理開始と処理終了の間として検出される。
【００２３】
例えば、ＡＰＳフィルムの現像処理の場合、カートリッジＣａから引き出したフィルムの先端に粘着テープ等を用いてリーダＬを取り付け、蓋体１１Ａを開放して、このリーダＬが先行するようにフィルム挿入部１１にカートリッジＣａをセットする。次に、蓋体１１Ａを閉じた後、手動モードの場合に、コントロールパネル１６の所定の操作ボタン１６Ｂを操作することで制御ユニット１７の制御によってフィルム搬送（ローディング）が開始され、現像処理部１２での現像処理と、乾燥処理部１３での乾燥処理の後に排出部１４からリーダＬを先頭にしてフィルムが排出される。ここで、リーダＬは、樹脂製のフィルムと同程度の柔軟性を持つシート状であり、幅方向の一端には搬送用の複数のパーフォレーションが形成されている。なお、自動モードに設定されている場合には、後述する制御手段２００、制御ユニット１７の制御によってローディングが開始される。
【００２４】
現像処理部１２は、発色現像槽、漂白槽、定着槽、安定槽を有し、現像処理部１２内部において搬送機構１５は、リーダＬ及びフィルムを搬送する複数の圧着型のローラを備えている。また、乾燥処理部１３は、現像処理部１２から搬送されてきたフィルムを乾燥するブロワ１３Ａを備える。
【００２５】
搬送機構１５は、搬送経路の各部に圧着ローラ１５Ａと、この圧着ローラ１５Ａを電動モータ（不図示）で同期駆動する駆動系を備える。
【００２６】
フィルムストッカー１８は、排出部１４からリーダＬが排出される際に、フィルムスキャナＦＳへフィルムを供給するための供給搬送機構Ａが、排出状態（フィルムスキャナーＦＳに供給できない状態）にある場合に、リーダＬ及びフィルムが送り込まれるように構成される。
【００２７】
＜フィルムスキャナ＞
フィルムスキャナＦＳは、図１、２に示すように、スキャナ本体の下部にフィルムキャリア２１を配置し、このフィルムキャリア２１の下側に光源ユニット２２を、フィルムキャリア２１の上側にズームレンズ２３と光電変換ユニット２４とを配置している。スキャナ本体の内部に制御ユニット２５を配置し、スキャナ本体の前面にスタートボタン２６を備える。フィルムスキャナＦＳは、フィルムプロセッサＦＰに固定されて一対の中間フレーム（不図示）の上端に支持され。排出部１４の排出ブロック上部位置に配置されている。
【００２８】
フィルムキャリア２１は、フィルムプロセッサＦＰの前部と同じ方向に現像済写真フィルムの供給部２１Ａを形成し、この供給部２１Ａからフィルムを後部側に搬送しながらスキャニングを行えるように構成される。なお、フィルムキャリア２１にフィルムを送り出す前に、フィルムからリーダＬを切り離す処理がなされる。
【００２９】
また、フィルムキャリア２１は、搬送ローラ２１Ｂを駆動する搬送モータ（不図示）と、フィルムの存否を判別する非接触型の存否センサＳＦと、フィルムの幅方向での端部にバーコード状に形成されたコード情報を取得するコードセンサ（不図示）とを備える。存否センサＳＦは、一対の光電式センサ（受光型Ｓａ、投光型Ｓｂ）とで構成されるのが好ましい。
【００３０】
光源ユニット２２は、Ｒ（赤）、Ｇ（緑）、Ｂ（青）の３原色の発光ダイオード（不図示）を有し、ズームレンズ２３は、焦点距離の調節によって、フィルムのコマの情報を設定された拡大率で光電変換ユニット２４の光電変換面に結像させる。この光電変換ユニット２４は、Ｒ（赤）、Ｇ（緑）、Ｂ（青）の３原色に対応してＣＣＤ等の光電変換素子でなる３つのラインセンサ（不図示）を備える。
【００３１】
＜プリント作成装置の機能ブロック構成＞
入力手段１００は、画像データの注文に関する情報であるオーダ情報の入力を受け付ける。例えば、モニター７に表示される操作画面（ＧＵＩ）を参照しながら、キーボード、マウス等の入力操作部８を操作して、オーダ情報が入力されるように機能する。
【００３２】
入力制御手段２０１は、カートリッジ検出手段１１ｄによる検出が行われるまでは次の未現像写真フィルムのオーダ情報の入力を禁止するように、入力手段１００を制御する。
【００３３】
オーダ情報入力確定手段２０２は、オーダ情報の入力が確定したか否かを判断する。確定したか否かの判断は、オーダ情報が入力され、確定を意味する指示がなされた（例えば、ＯＫボタンのクリック等）か否かで実現できる。
【００３４】
制御手段２００は、オーダ情報の入力が確定した場合に、フィルムプロセッサＦＰにセットされた未現像写真フィルムの現像処理を開始するように制御できる。
【００３５】
また、入力制御手段２０１は、カートリッジ検出手段１１ｄによって未現像写真フィルムが検出された場合に、オーダ情報の入力を許可するように制御できる。
【００３６】
また、制御手段２００は、入力されたオーダ情報に対応する未現像写真フィルムをフィルムプロセッサＦＰで処理するように制御ユニット１７に指令を送信し、この指令に基づいて制御ユニット１７がローディングを開始する。
【００３７】
制御手段２００、入力制御手段２０１、オーダ情報入力確定手段２０２の処理手順は、通常、ソフトウェアで構成され、かかるソフトウエアは、不図示のＣＰＵ、メモリ等のハードウェア資源と協働して動作するものであるが、専用回路、ファームウエア等を組み合わせて構成してもよい。当該ソフトウエアプログラムは、ＲＯＭ等のメモリに予め格納されている。
【００３８】
＜画像判定部の構成＞
画像判定部４は、フィルム処理装置ＦＡから取得した画像データに対する判定をオペレータが行なうための機能を提供し、かかる機能は主としてソフトウェアにより提供される。これは、画像データに基づいて写真プリントを作成する前に、適切な画質の写真プリントが作成されるか否かを判定するものであり、かかる作業をプレジャッジと称することとする。画像判定部４には、補正データの設定機能、プリントデータの設定機能、サムネイル画像の設定機能が主たる機能として設けられている。なお、プレジャッジは必ず行なわなければならないものではなく、プレジャッジを省略してプリント処理を行うことも可能である。なお、以下において、オーダーデータとは、１オーダに含まれる画像データ群と、プレジャッジにより設定された補正データ、プリントサイズ、プリント枚数などのプリントデータ、オーダを特定するデータ（オーダ識別ＩＤ、顧客の氏名、住所、会員ＩＤなどのデータ）により構成される。オーダ情報は、プリントデータの一部を構成する。
【００３９】
＜オーダ制御部の構成＞
オーダ制御部５は、プリント処理すべき画像データをオーダ単位に管理する機能を提供する。オーダ登録部５ａは、画像判定部４によりプレジャッジの終了したオーダーデータを記憶装置６に登録・保存する機能を有する。記憶装置６は概念的に、スプーラ６ａと呼ばれる部分と、その他の記憶部６ｂとで構成される。プリント処理すべきオーダーデータは、すべてスプーラ６ａに保存される。従って、スプーラ６ａにオーダーデータを保存することでオーダの管理を行なうことができ、プリント処理の順番や割り込みなどの制御を行なうことができる。スプーラ６ａと、記憶部６ｂは、いずれもハードディスクのような大容量記憶装置により構成することができるが、スプーラ６ａと記憶部６ｂは、ハードウェア的に別々のハードディスクにより構成してもよいし、１つのハードディスクの記憶領域を分割して、スプーラ６ａとして機能する領域と、それ以外の領域を形成してもよい。
【００４０】
プリント処理制御部５ｂは、プリント処理指令を後述する画像処理基板９（画像処理手段に相当する）に送信する。そして、この指令に従って、画像処理基板９は、オーダーデータに基づいて、画像処理を行う。
【００４１】
モニター７は、オーダ情報の入力操作画面表示以外に、その他の例えば、プレジャッジを行なうための画面やオーダ管理画面等を表示させるものであり、プリント処理等を行うために必要な画面を提供する。入力操作部８は、キーボードやマウス等により構成され、オーダ情報入力、プリント処理に必要なデータ入力や設定、各種指令を行うために用いられる。
【００４２】
画像処理基板９（画像処理手段に相当する）は、スプーラ６ａから画像データと補正データを受け取り、補正データに基づいて画像データに対する画像処理を行い、写真プリントを作成するために用いられるプリント用画像データを生成する。画像処理基板９は、受信メモリ、処理回路部、展開メモリにより構成され、処理回路部において指定された画像処理が行なわれる。具体的には、補正データに基づく色・濃度の補正、設定されたプリントサイズに従ったデータの拡縮処理などである。
【００４３】
次に、図３に示すプリント処理部の構成を簡単に説明する。ペーパーマガジン１０１には、写真感光材料（印画紙ともいう）であるペーパーがロール状に収容されている。ペーパーマガジン１０１は、２台を設置することができ、例えば、ペーパー幅の異なるペーパーを予めセットしておくことができる。ペーパーカッターは、ペーパーマガジン１０１から引き出された長尺状のペーパーを設定されたプリントサイズになるように切断する。
【００４４】
露光エンジン１０２ａは、画像処理基板９の展開メモリから送信されてくるプリント用画像データを受け取り、このプリント用画像データに基づいて、ペーパーの乳剤面に画像を焼付露光する。露光エンジン１０２ａとしては、特定の方式のものに限定されるものではなく、例えば、レーザーエンジン、ＣＲＴエンジン、ＰＬＺＴエンジンなどを用いることができる。
【００４５】
裏印字手段１０２ｂは、ペーパーの裏面に、オーダ識別ＩＤ、コマナンバー、プリント処理済枚数、プリント要求枚数、補正テータ等をプリントする機能を有する。裏印字手段１０２ｂは、例えば、ドットインパクトプリンタ、熱転写式プリンタ、インクジェットプリンタ等で実現される。
【００４６】
現像処理部１０３は、画像が焼付露光されたペーパーの現像処理を行い、乾燥処理部１０４は、現像処理されたペーパーの乾燥処理を行なう。ペーパー排出部から仕上がりの写真プリントが装置本体外部に排出され、所定の集積装置（不図示）によりオーダ単位で集積される。
【００４７】
ペーパーセンサー１０６は、ペーパー排出部から排出されるペーパーを検出し、あるオーダの写真プリントが全て排出されたか否かを検出する。センサ制御部（不図示）は、ペーパーセンサー１０６の駆動制御を行なうと共に、ペーパーセンサー１０６からの信号を受信して解析する。
【００４８】
＜本発明の処理の手順＞
（実施形態１）
以下に、図面を用いて、処理の具体的内容について説明する。図４は、本発明の一実施例の処理手順を示すフローチャートである。
【００４９】
入力手段１００によって新たなオーダ情報がメモリ（以下、予約キューと称す。）に記憶されているか否かを、制御手段２００が判断し（Ｓ１）、オーダ情報が予約キューに記憶されていない場合、オーダ情報を入力する（Ｓ２）。ここで、入力制御手段２０１は、入力手段１００を制御し、オーダ情報入力画面（不図示）を提供する。オペレータは、オーダ情報入力画面に従って、オーダ情報を入力又は予め設定された既定値を選択する。オーダ情報入力完了の指示は、例えば、入力画面上の「ＯＫ」ボタンをクリックしてなされ、オーダ情報入力確定手段２０２は、この入力完了指示の有無を判断して、入力完了しているか否かを判断する。ここでのオーダ情報は、少なくともプリント枚数、プリントサイズを有し、オーダＩＤが自動的に設定される。なお、全てのコマ画像に対する設定であり、個々のコマ画像に対するプリント枚数、プリントサイズの設定は、プレジャッジ処理で実行できる。
【００５０】
入力されたオーダ情報は、予約キューに記憶される。オーダ情報が既に入力され、記憶されている場合に、新たにオーダ情報（次のフィルムのオーダ情報又は現入力されているオーダ情報の修正情報）を入力するか否かを判断し（Ｓ３）、新たにオーダ情報を入力する場合に、入力できるように構成される（Ｓ４）。そして、既に入力・記憶済みのオーダ情報に上書きされる（Ｓ５）。これは、入力制御手段２０１の機能による。これにより、オーダ情報が重複してメモリに保存されることが無く、フィルムとの一体一の対応関係が維持できる。
【００５１】
新たにオーダ情報を入力するか否かの判断は、モニター７に表示された、「新たにオーダ情報の入力をしますか？」に応じて入力を選択することによって構成できる。また、ステップＳ３の処理を禁止状態にモード設定しておき（すなわち、オーダ情報が記憶されている場合、無条件にオーダ情報の入力が禁止される状態）、ステップＳ１でオーダ情報が記憶されていると判断された場合に、フィルムカートリッジＣａのセット待ち状態で待機するように構成してもよい。これは入力制御手段２０１の機能による。
【００５２】
オーダ情報が入力された後（又は新たなオーダ情報が入力された後）、フィルム挿入部１１の蓋体１１Ａを開け、リーダＬを取り付けたフィルムを収容するフィルムカートリッジＣａを所定位置にセットする（Ｓ６）。かかるフィルムカートリッジＣａのセットは、カートリッジ検出手段１１ｄによって検出され、この検出信号が制御ユニット１７に送信される。次いで、制御ユニット１７からフィルム検出通知が制御手段２００に送信され、制御手段２００は、予約キューに記憶されているオーダ情報を確認し（Ｓ７）、次いで、ローディングが開始される（Ｓ８）。具体的に、制御手段２００が、オーダ情報を確認後にローディング許可通知を制御ユニット１７に送信し、制御ユニット１７は、ローディングを開始するようにフィルムプロセッサＦＰの各要素を制御する。具体的には、フィルム駆動機構１１ｅが、リーダＬ及びフィルムを圧着ローラで狭持しながら現像処理部１２まで搬送し、ローディング検出手段１１ｃが搬送されてきたリーダＬ及びフィルムの先端を検出すると、搬送機構部１５が駆動され、リーダＬ及びフィルムを圧着ローラで挟持して、現像処理部１２側に搬送する。ここで、フィルム駆動機構１１ｅと搬送機構１５は、別駆動で動作する。ここで「ローディング」は、フィルムカートリッジＣａからフィルムが搬送機構１５によって引き出され、現像処理部１２に搬送される動作を意味する。また、フィルム検出通知が制御手段２００に送信されると、入力制御手段２０１の機能によりオーダ情報の入力は禁止される。
【００５３】
制御ユニット１７は、フィルム後端が現像処理部１２に入ったか否かを判断し（Ｓ９）、現像処理部１２に入ったと判断した場合、ステップＳ１に戻り、次のフィルムについて現像処理可能となる。具体的には、制御ユニット１７は、ローディング検出手段１１ｃがフィルム後端を検出したか否かを判断する。フィルム後端を検出した場合、制御ユニット１７は、ローディングの完了通知を制御手段２００に送信し、この完了通知に応じて、新たなフィルムのオーダ情報を入力できる状態にする。具体的には、入力制御手段２０１がオーダ情報入力可能状態に入力手段１００を制御する。なお、制御ユニット１７が、フィルム後端が検出されていないと判断した場合は、ローディングが完了していないことを意味する。
【００５４】
また、制御ユニット１７は、フィルム先端が現像処理部１２に入ったか否か（現像処理開始したか否か）を判断するように構成してもよい。具体的には、制御ユニット１７は、ローディング検出手段１１ｃがフィルム先端を検出したか否かを判断し、フィルム先端を検出した場合、制御ユニット１７は、ローディングの開始通知を制御手段２００に送信し、この開始通知に応じて、新たなフィルムのオーダ情報を入力できる状態にしてもよい。
【００５５】
また、制御ユニット１７は、フィルムが現像処理中か否かを判断するように構成してもよい。具体的には、制御ユニット１７は、ローディング検出手段１１ｃがフィルム先端を検出してから、後端を検出したか否かを判断し、フィルム先端の検出から後端検出するまでの間、制御ユニット１７は、現像処理中通知を制御手段２００に送信し、この現像処理中通知に応じて、新たなフィルムのオーダ情報を入力できる状態にしてもよい。
【００５６】
また、制御ユニット１７は、フィルム先端又は後端が排出部１４から排出されたか否かを判断するように構成してもよい。フィルム先端又は後端が排出部１４から排出されたか否かの判断は、フィルム長さ、搬送機構１５による搬送速度、搬送距離に基づいてなされてもよく、排出部１４に設置されたセンサ(不図示)によって、フィルム先端又は後端が検出されたか否かで判断してもよい。フィルム長さは、ローディング検出手段１１ｃがフィルム先端と後端のそれぞれを検出した時刻と搬送速度から算出される。なお、フィルム後端が排出部１４から排出されたことは、現像処理完了を意味する。
【００５７】
（実施形態２）
図５において、異なる処理手順を説明する。フィルムプロセッサＦＰにフィルムカートリッジＣａを上記と同様にセットする（Ｓ２０）。これにより、セットされたことを示すフィルム検出通知が制御手段２００に送信され、制御手段２００が、予約キューにオーダ情報が記憶されているか否かを判断し（Ｓ２１）、オーダ情報が記憶されていれば、ローディング許可通知を制御ユニット１７に送信し、制御ユニット１７は、ローディングを開始するようにフィルムプロセッサＦＰの各要素を制御する（Ｓ２３）。一方、オーダ情報が記憶されていない場合、上記同様にオーダ情報入力を促す通知がなされ、オペレータによるオーダ情報の入力が行われる（Ｓ２２）。オーダ情報が入力されると、ローディング許可通知が制御ユニット１７に送信され、ローディングが開始される（Ｓ２３）。
【００５８】
制御ユニット１７は、フィルム後端が現像処理部１２に入ったか否かを判断し（Ｓ２４）、現像処理部１２に入ったと判断した場合、ステップＳ２０に戻り、次のフィルムについて現像処理可能となる。かかる制御ユニット１７の判断処理は、上記の別実施例が適用できる。
【００５９】
（実施形態３）
図６において、さらに、異なる処理手順を説明する。入力制御手段２０１は、フィルム検出通知を受信した場合のみオーダ情報の入力を許可するように、入力手段１００のオーダ情報入力画面操作、キーボード入力の受付を禁止するように制御する。
【００６０】
制御手段２００は、フィルムカートリッジＣａがセットされているか否かを判断する（Ｓ３０）。フィルムカートリッジＣａがセットされている場合（制御ユニット１７からフォルム検出通知が送信されている状態を意味する）、入力制御手段２０１は、オーダ情報の入力を許可し、入力手段１００によってオーダ情報の入力が完了されると（Ｓ３１）、上記のようにローディングが開始される（Ｓ３３）。一方、フィルムカートリッジＣａがセットされていない場合、フィルムカートリッジＣａをセットするように促す通知をモニター７に表示させる等し、そして、フィルムカートリッジＣａがセットされると（Ｓ３２）、制御ユニット１７からフィルム検出通知を受け、オーダ情報が入力可能となる（Ｓ３１）。ステップＳ３４は、上記ステップＳ２４と同様の動作である。
【００６１】
上記の実施形態１から３において、フィルムのローディングの際には、オーダ情報の入力が禁止されるように入力制御手段２０１によって制御されるように構成できる。
【００６２】
（実施形態４）
以下に、図７を用いて、フィルムプロセッサＦＰ、プリント作成装置ＰＡ、予約キューの処理について説明する。図７に示すようにフィルムプロセッサＦＰは、フィルム挿入待ち状態（フィルムカートリッジＣａのセット待ち状態）となっている。また、プリント作成装置ＰＡは、オーダ予約待ち状態（オーダ情報入力待ち状態）となっている。そして、予約キューには、データは存在しない。
【００６３】
今、オーダ＃１予約がなされると（オーダ情報入力完了）、予約キューにオーダ＃１が記憶され、オーダ＃１挿入待ち状態となる。そして、別のオーダ予約禁止状態となる。つまり、オーダ情報の入力完了、予約キューへの記憶により、別のオーダ情報の入力が禁止され、複数のオーダ情報の入力が出来ないように構成される。これは入力制御手段２０１の機能による。
【００６４】
次いで、フィルムカートリッジＣａがセットされると、カートリッジ検出手段１１ｄによって検出され、フィルム検出通知が制御ユニット１７から制御手段２００に送信される。制御手段２００は、予約キューに記憶されたオーダ情報を確認し、ローディング許可通知を制御ユニット１７に送信する。これに応じて、制御ユニット１７が、ローディング開始するように各要素を制御する。ローディング完了すると、ローディング完了通知が制御ユニット１７から制御手段２００に送信される。これに応じて入力制御手段２０１は、オーダ予約待ち状態（オーダ情報入力可能状態）に制御する。そして、オーダ＃２予約がなされると、上記と同様の処理手順が実行される。
【００６５】
以上、本発明によれば、オーダ情報の入力順序と未現像写真フィルムの現像処理順序が一致して、オーダ情報に対応する未現像写真フィルムの現像処理を行えるプリント処理システムを提供することができる。
【００６６】
＜別実施形態＞
上記実施形態において、オーダ情報がプリント作成装置ＰＡで入力されるように構成したが、特にこれに制限されず、フィルムプロセッサＦＰのコントロールパネル１６から入力できるように構成してもよい。
【００６７】
また、制御手段２００、入力制御手段２０１、オーダ情報入力確定手段２０２の機能をフィルムプロセッサＦＰの制御ユニット１７にもたせるように構成してもよい。
【図面の簡単な説明】
【００６８】
【図１】プリント処理システムの外観の一例を示す図
【図２】フィルム処理装置の一例を説明する図
【図３】プリント処理システムの機能を示すブロック図
【図４】実施形態１の処理手順を示すフローチャート
【図５】実施形態２の処理手順を示すフローチャート
【図６】実施形態３の処理手順を示すフローチャート
【図７】実施形態４の処理手順を説明する図
【符号の説明】
【００６９】
ＦＰ      フィルムプロセッサ
ＦＳ      フィルムスキャナ
ＰＡ      プリント作成装置
Ｃａ      フィルムカートリッジ
１        プリント処理システム
１１      フィルム挿入部
１１Ａ    蓋体
１１ｃ    ローディング検出手段
１１ｄ    カートリッジ検出手段
１１ｅ    フィルム駆動機構
１２      現像処理部
１３      乾燥処理部
１４      排出部
１５      搬送機構
１６      コントロールパネル
１７      制御ユニット
１８      フィルムストッカー
２１      フィルムキャリア
１００    入力手段
２００    制御手段
２０１    入力制御手段
２０２    オーダ情報入力確定手段
【図１】
2007183359.tif 000003
【図２】
2007183359.tif 000004
【図３】
2007183359.tif 000005
【図４】
2007183359.tif 000006
【図５】
2007183359.tif 000007
【図６】
2007183359.tif 000008
【図７】
2007183359.tif 000009